(57)【要約】      （修正有）【課題】再利用の使い勝手がよく、利用価値が高く、しかも機能を選択することができるティーバッグ用包装紙を提供する。【解決手段】本考案の一態様は、ティーバッグＴＢを収容する包装紙であって、略長方形に設けられ、長辺方向の途中を折って重なった辺を閉じることで袋体が構成される包装紙本体１０を備え、包装紙本体には、第１機能を構成するための第１の折り方および／又は第１の切り方を示す第１案内部１１０と、第１機能とは異なる第２機能を構成するための第２の折り方および／又は第２の切り方を示す第２案内部１２０と、が少なくとも設けられている。【選択図】図１
0003224087.tif 000002
【実用新案登録請求の範囲】
【請求項１】
ティーバッグを収容する包装紙であって、
略長方形に設けられ、長辺方向の途中を折って重なった辺を閉じることで袋体が構成される包装紙本体を備え、
前記包装紙本体には、第１機能を構成するための第１の折り方および／又は第１の切り方を示す第１案内部と、前記第１機能とは異なる第２機能を構成するための第２の折り方および／又は第２の切り方を示す第２案内部と、が少なくとも設けられた、ティーバッグ用包装紙。
【請求項２】
前記第１機能はカップの開口に載置される蓋であり、
前記第２機能は前記ティーバッグを載置するための受け皿である、請求項１記載のティーバッグ用包装紙。
【請求項３】
前記第１案内部は、前記包装紙本体の一方の面に設けられ、
前記第２案内部は、前記包装紙本体の他方の面に設けられた、請求項１または請求項２に記載のティーバッグ用包装紙。
【請求項４】
前記第１案内部は、略長方形に開いた前記包装紙本体を前記第１の折り方および／又は第１の切り方によって、前記包装紙本体を平面視したときの外形において、前記第１の折り方および／又は第１の切り方を行う前に比べて前記包装紙本体の短辺方向の長さが長くなるような案内を与え、
前記第２案内部は、略長方形に開いた前記包装紙本体を前記第２の折り方および／又は第２の切り方によって器型にする案内を与える、請求項１から請求項３のいずれか１項に記載のティーバッグ用包装紙。
【考案の詳細な説明】
【技術分野】
【０００１】
本考案はティーバッグ用包装紙に関し、より詳しくは、ティーバッグを取り出した後の包装紙の再利用に関するものである。
【背景技術】
【０００２】
紅茶、ウーロン茶、緑茶などのティーバッグは、個々のカップにお茶を入れたいときに多く利用されている。ティーバッグは茶葉を不織布の袋に収納したものであり、この袋が包装紙によって包まれている。お茶を入れるときは、包装紙を開封してティーバッグを取り出し、カップやポットなどにティーバッグを入れてお湯を注ぎ、お茶を抽出する。ティーバッグには紐を介してタブが付けられていて、タブを持ってティーバッグを紐で吊すようにして抽出を行い、抽出した後はティーバッグを引き上げるようにする。
【０００３】
このようなティーバッグにおいて、従来、開封した包装紙の再利用が開示される。例えば、特許文献１には、ティーバッグ収納袋本体を蛇腹状に折り曲げて、使用後の濡れたティーバッグを置く受け皿として使用できるようにしたものが開示される。
特許文献２には、ティーバッグの包装紙を開封して展開し、受け皿として利用することが開示される。
特許文献３には、ティーバッグ個別包装袋を指定する位置、方向に開封し、さらに指定した折り線で折ることにより、ティーカップの蓋として利用することが開示される。
【先行技術文献】
【特許文献】
【０００４】
【特許文献１】実開平０３−１２０４６４号公報
【特許文献２】実開平０２−０１５４７０号公報
【特許文献３】特開２００６−２１３４０１号公報
【考案の概要】
【考案が解決しようとする課題】
【０００５】
このように、ティーバッグ用包装紙の再利用としては、使い勝手がよく、十分にその機能を発揮できることが望まれる。例えば、折り曲げ方が複雑だと面倒になってしまう。また、皿や蓋としての機能を十分に果たせないと、利用価値が低減してしまう。また、皿として利用したい場合があったり、蓋として利用したい場合があったりと、利用者や使う状況によって機能を選択できることも望まれる。
【０００６】
本考案は、再利用の使い勝手がよく、利用価値が高く、しかも機能を選択することができるティーバッグ用包装紙を提供することを目的とする。
【課題を解決するための手段】
【０００７】
本考案の一態様は、ティーバッグを収容する包装紙であって、略長方形に設けられ、長辺方向の途中を折って重なった辺を閉じることで袋体が構成される包装紙本体を備え、包装紙本体には、第１機能を構成するための第１の折り方および／又は第１の切り方を示す第１案内部と、第１機能とは異なる第２機能を構成するための第２の折り方および／又は第２の切り方を示す第２案内部と、が少なくとも設けられている。
【０００８】
このような構成によれば、包装紙本体の第１案内部に設けられた第１の折り方および／又は第１の切り方に従い包装紙本体を折ったり、切ったりすることで第１機能を構成することができる。また、包装紙本体の第２案内部に設けられた第２の切り方および／又は第２の切り方に従い包装紙本体を折ったり、切ったりすることで第２機能を構成することができる。すなわち、１つの包装紙本体で複数の機能を選択的に実現することができる。
【０００９】
上記ティーバッグ用包装紙において、第１機能はカップの開口に載置される蓋であり、第２機能はティーバッグを載置するための受け皿であってもよい。これにより、１つの包装紙本体をカップの蓋として機能させたり、ティーバッグの受け皿として機能させたりすることができる。
【００１０】
上記ティーバッグ用包装紙において、第１案内部は、包装紙本体の一方の面に設けられ、第２案内部は、包装紙本体の他方の面に設けられていてもよい。これにより、包装紙本体の一方の面の指示に従って折ったり、切ったりすることで第１機能が構成され、包装紙本体の他方の面の指示に従って折ったり、切ったりすることで第２機能が構成される。
【００１１】
上記ティーバッグ用包装紙において、第１案内部は、略長方形に開いた包装紙本体を第１の折り方および／又は第１の切り方によって、包装紙本体を平面視したときの外形において、第１の折り方および／又は第１の切り方を行う前に比べて包装紙本体の短辺方向の長さが長くなるような案内を与え、第２案内部は、略長方形に開いた包装紙本体を第２の折り方および／又は第２の切り方によって器型にする案内を与えるようにしてもよい。これにより、第１案内部に従って折ったり、切ったりすることで、カップの開口を十分に覆うことができる形状に構成され、第２案内部に従って折ったり、切ったりすることで、包装紙本体が器型に構成される。
【考案の効果】
【００１２】
本考案によれば、再利用の使い勝手がよく、利用価値が高く、しかも機能を選択することができるティーバッグ用包装紙を提供することが可能になる。
【図面の簡単な説明】
【００１３】
【図１】（ａ）および（ｂ）は、本実施形態に係るティーバッグ用包装紙の構成を例示する斜視図である。
【図２】（ａ）および（ｂ）は、本実施形態に係るティーバッグ用包装紙の表裏の例を示す平面図である。
【図３】（ａ）〜（ｃ）は、第１機能の構成手順を例示する図である。
【図４】（ａ）および（ｂ）は、第１機能の構成手順を例示する図である。
【図５】（ａ）〜（ｃ）は、第２機能の構成手順を例示する図である。
【図６】（ａ）および（ｂ）は、第２機能の構成手順を例示する図である。
【図７】蓋を構成する他の例を示す平面図である。
【図８】（ａ）および（ｂ）は、他の蓋の構成手順を例示する図である。
【図９】（ａ）〜（ｃ）は、他の受け皿の構成手順を例示する図である。
【考案を実施するための形態】
【００１４】
以下、本考案の実施形態を図面に基づいて説明する。なお、以下の説明では、同一の部材には同一の符号を付し、一度説明した部材については適宜その説明を省略する。
【００１５】
（ティーバッグ用包装紙の構成）
図１（ａ）および（ｂ）は、本実施形態に係るティーバッグ用包装紙の構成を例示する斜視図である。図１（ａ）にはティーバッグＴＢを収納した状態が示され、図１（ｂ）には包装紙本体１０を展開した状態が示される。
図２（ａ）および（ｂ）は、本実施形態に係るティーバッグ用包装紙の表裏の例を示す平面図である。
【００１６】
本実施形態に係るティーバッグ用包装紙１は、茶葉を袋に入れたティーバッグＴＢを収容する外装用の包装紙である。ティーバッグ用包装紙１は、包装紙本体１０を備える。包装紙本体１０は略長方形に設けられ、長辺方向の途中を折って重なった辺を閉じることで袋体を構成して、その袋体の中にティーバッグＴＢを収容する。包装紙本体１０の材料には、クラフト紙、防水加工紙などが挙げられる。なお、包装紙本体１０の材料には、紙と同様に容易に折り曲げできたり、切ったりできるプラスチック材料、アルミニウム材料、各種ラミネート材料も含まれる。
【００１７】
ティーバッグＴＢを収容する際には、略長方形の包装紙本体１０を例えば２つ折りにして、重なり合った辺（例えば長辺１０１）を熱圧着などで閉じておく。ティーバッグＴＢを収容する前には、重なり合った辺の１箇所（例えば短辺１０２）だけ入り口として開けておき、ここからティーバッグＴＢを袋体に収容した後、入り口を熱圧着して閉じる。
【００１８】
ティーバッグＴＢを使う際には、包装紙本体１０を展開して中のティーバッグＴＢを取り出し、ティーバッグＴＢをカップ等に入れて湯を注ぎ、お茶を入れる。ティーバッグＴＢには紐Ｗを介してタブＴが設けられており、お茶を入れる際にカップ等の中でティーバッグＴＢを吊し、入れ終わったあとに容易に取り出せる。
【００１９】
本実施形態では、この展開した包装紙本体１０を再利用して所定の機能を持たせる。この所定の機能を持たせるため、包装紙本体１０には、第１機能を構成するための第１の折り方および／又は第１の切り方を示す第１案内部１１０と、第１機能とは異なる第２機能を構成するための第２の折り方および／又は第２の切り方を示す第２案内部１２０と、が少なくとも設けられる。ここで、「折り方および／又は切り方」とは、折り方および切り方の少なくとも一方を有することを意味する。また、第１案内部１１０および第２案内部１２０には、折り方および／又は切り方を示すための色分け（色違いの印刷）も含まれる。
【００２０】
第１機能としては、例えば蓋である。第２機能としては、例えば受け皿である。第１機能を構成するための第１案内部１１０は、包装紙本体１０の例えば表面１０Ａ（一方の面）に設けられ、第２機能を構成するための第２案内部１２０は、包装紙本体１０の例えば裏面１０Ｂ（他方の面）に設けられる。
【００２１】
第１案内部１１０および第２案内部１２０は、包装紙本体１０の表裏のそれぞれに設けられることで、それ自体を包装紙の柄（デザイン）として機能させてもよい。
【００２２】
図２（ａ）に示すように、包装紙本体１０の表面１０Ａには、第１案内部１１０として、第１の折り方を示す折り目線Ｂ１１、Ｂ１２が設けられ、第１の切り方を示すミシン目Ｓ１が設けられる。一方、図２（ｂ）に示すように、包装紙本体１０の裏面１０Ｂには、第２案内部１２０として、第２の折り方を示す折り目線Ｂ２１、Ｂ２２が設けられる。この例では、第２の切り方は設けられていないが、目的の機能によっては第２の切り方を示すミシン目などを設けてもよい。
【００２３】
ティーバッグＴＢの利用者は、展開した包装紙本体１０を用いて、第１機能や第２機能による再利用方法を選択可能となる。例えば、ティーバッグＴＢでカップにお茶を入れる際、カップの開口に蓋をしたい場合、包装紙本体１０の第１案内部１１０に従って折ったり、切ったりして、カップの開口に被せられる形状の蓋を構成することができる。一方、使用したティーバッグＴＢを置く受け皿を用意したい場合、展開した包装紙本体１０の第２案内部１２０に従って折ることで、受け皿を構成することができる。
すなわち、本実施形態に係るティーバッグ用包装紙１では、利用者の選択によって包装紙本体１０の異なる再利用方法を提供できることになる。
【００２４】
１人用のティーバッグＴＢを収納する包装紙本体１０の大きさは、展開した場合、短辺１０２が約５０ｍｍ以上１００ｍｍ以下程度、長辺１０１が約１００ｍｍ以上２００ｍｍ以下程度である。このように、１人用のティーバッグＴＢを収納する程度の大きさの包装紙本体１０を再利用して所定の機能を持たせるため、本実施形態では特徴的な工夫を施している。
【００２５】
（第１機能）
次に、第１機能の例について説明する。
ここでは、第１機能の一例として、カップの開口に被せる蓋を構成する例を説明する。
図２（ａ）に示すように、第１機能を構成するための第１案内部１１０には、略長方形の包装紙本体１０の長辺方向に設けられた折り目線Ｂ１１と、短辺方向に設けられた折り目線Ｂ１２と、短辺方向に設けられたミシン目Ｓ１とを有する。
【００２６】
折り目線Ｂ１１は、長辺１０１から短辺１０２の方向に約１５ｍｍ程度離れた位置に、長辺１０１と平行に一方の短辺１０２から中央まで直線で設けられる。折り目線Ｂ１２は、折り目線Ｂ１１の端から長辺１０１の中央に向けて直線で設けられる。ミシン目Ｓ１は、折り目線Ｂ１２の延長上、すなわち、折り目線Ｂ１１の端から折り目線Ｂ１２とは反対側の長辺１０１の中央に向けて直線で設けられる。
【００２７】
図３（ａ）〜図４（ｂ）は、第１機能の構成手順を例示する図である。
先ず、図３（ａ）に示すように、包装紙本体１０を展開した状態で、ミシン目Ｓ１に沿って包装紙本体１０に切れ込みを入れる。ミシン目Ｓ１で切れ込みを入れると、包装紙本体１０は中央部分で短辺１０２の方向に折り目線Ｂ１１の位置まで切られることになる。
【００２８】
次に、図３（ｂ）に示すように、折り目線Ｂ１１に沿って包装紙本体１０を折り曲げる。これにより、包装紙本体１０の半分が折り目線Ｂ１１の位置で折り返される状態になる。
【００２９】
次に、図３（ｃ）に示すように、包装紙本体１０の折り返した部分を、折り目線Ｂ１２に沿って折り返す。これにより、包装紙本体１０を平面視したときの外形において、短辺１０２の方向が、展開して折り曲げる前の短辺１０２の長さよりも長くなった矩形の蓋Ｌが構成される。
【００３０】
図４（ａ）に示すように、展開した包装紙本体１０をこの大きさに変換して矩形の蓋Ｌにすることで、カップＣＰの開口に被せた際、カップＣＰの開口を十分に覆うことが可能となる。なお、図４（ｂ）に示すように、蓋Ｌとして構成した状態で、その隅部や端部を折っておくことで、蓋ＬとしてカップＣＰに被せた際のずれを抑制することができる。
【００３１】
（第２機能）
次に、第２機能の例について説明する。
ここでは、第２機能の一例として、ティーバッグＴＢの受け皿を構成する例を説明する。
図２（ｂ）に示すように、第２機能を構成するための第２案内部１２０には、略長方形の包装紙本体１０の長辺１０１の方向に設けられた折り目線Ｂ２１と、短辺１０２の方向に設けられた折り目線Ｂ２２とを有する。
【００３２】
折り目線Ｂ２１は、長辺１０１から短辺１０２の方向に約１０ｍｍ程度離れた位置に、長辺１０１と平行に端から端まで直線で設けられる。折り目線Ｂ２１は、一対の長辺１０１のそれぞれに対応して設けられる。
【００３３】
また、折り目線Ｂ２２は、短辺１０２から長辺１０１の方向に約１０ｍｍ程度離れた位置に、短辺１０２と平行に端から端まで直線で設けられる。折り目線Ｂ２２は両端部のそれぞれに複数本設けられる。例えば、折り目線Ｂ２２は、包装紙本体１０の長辺１０１の方向における一方の端部に等間隔で４本設けられ、他方の端部にも等間隔で４本設けられる。
【００３４】
図５（ａ）〜図６（ｂ）は、第２機能の構成手順を例示する図である。
先ず、図５（ａ）に示すように、包装紙本体１０を展開した状態で、折り目線Ｂ２１に沿って包装紙本体１０を折り曲げる。これにより、図５（ｂ）に示すように、包装紙本体１０の向かい合う長辺１０１のそれぞれが立ち上がる状態となる。
【００３５】
次に、図５（ｃ）に示すように、立ち上がった長辺１０１部分の途中を少し内側に押し込んだ状態で、図６（ａ）に示すように、折り目線Ｂ２２に沿って内側に折り込んでいく。複数本の折り目線Ｂ２２が設けられているため、外側から順に折り曲げて畳むように巻き込んでいく。これにより、図６（ｂ）に示すように船型の受け皿Ｄが構成される。
【００３６】
このように折り曲げて受け皿を構成すると四方が立ち上がっているため、濡れたティーバッグＴＢを載置しても水分が漏れ出ることはない。なお、包装紙本体１０として防水性の高い処理（フィルムなど）が設けられている場合、防水性の高い処理が施された面が受け皿の内側の面になるようにするとよい。これにより、濡れたティーバッグＴＢを載置した際、防水性の高い処理が施された面でティーバッグＴＢを受けることができ、水分の漏れを効果的に防止することができる。
【００３７】
（他の例）
次に、他の例について説明する。
図７は、蓋を構成する他の例を示す平面図である。
図７に示すように、第１案内部１１０は、包装紙本体１０を展開した状態で、略中央に短辺１０２と平行に設けられた折り目線Ｂ３１と、折り目線Ｂ３１の一方の端の位置から斜め４５度に設けられた２本の折り目線Ｂ３２とを有する。折り目線Ｂ３１は山折り、折り目線Ｂ３２は谷折りを指示するようになっている。
【００３８】
図８（ａ）および（ｂ）は、他の蓋の構成手順を例示する図である。
図８（ａ）に示すように、折り目線Ｂ３１を山折りにし、折り目線Ｂ３２を谷折りにすると、包装紙本体１０の中央部分に三角形型の摘まみ部が立ち上がるように構成される。また、包装紙本体１０の左右部分は、折り目線Ｂ３２の角度（それぞれ、長辺１０１に対して４５度）によって９０度回転するように拡がるようになる。これにより、蓋Ｌ２を構成することができる。
【００３９】
このようにして構成された蓋Ｌ２は、短辺１０２の方向が、展開して折り曲げる前の短辺１０２の長さよりも長くなった形状になるため、図８（ｂ）に示すように、カップＣＰの開口を十分に覆うことが可能となる。また、この蓋Ｌ２では、中央部分に設けられた三角形型の摘まみ部Ｐを指で摘まむことによって、蓋Ｌ２を被せたり、蓋Ｌ２を外したりするといった蓋Ｌ２の取り扱いがしやすくなる。
【００４０】
図９（ａ）〜（ｃ）は、他の受け皿の構成手順を例示する図である。
図９（ａ）に示すように、第２案内部１２０は、包装紙本体１０を展開した状態で、斜めに平行に設けられた折り目線Ｂ４１と、この折り目線Ｂ４１に直交する折り目線Ｂ４２とを有する。
【００４１】
この第２案内部１２０に従って受け皿を構成するには、対向する隅部のそれぞれを折り目線Ｂ４１に沿って内側に巻き込むように折り曲げる。これにより、図９（ｂ）に示すように対向する壁部分が立ち上がる状態になる。次に、折り目線Ｂ４２に沿って内側に折り込むことで、図９（ｃ）に示すような船型の受け皿Ｄ２が構成される。
【００４２】
以上説明したように、本実施形態によれば、再利用の使い勝手がよく、利用価値が高く、しかも機能を選択することができるティーバッグ用包装紙１を提供することが可能になる。
【００４３】
なお、上記に本実施形態およびその適用例を説明したが、本考案はこれらの例に限定されるものではない。例えば、第１機能を構成するための第１案内部１１０、第２機能を構成するための第２案内部１２０のそれぞれの折り方や切り方は一例であり、上記の説明した例に限定されない。また、第１案内部１１０および第２案内部１２０として、折り方や切り方以外でも、例えば、包装紙本体１０が貼り合わせになっていて、貼り合わせを剥がすことで展開面積を増やして蓋を構成するようにしてもよい。
【００４４】
また、蓋や受け皿以外の機能であってもよいし、３つ以上の異なる機能を実現できる案内部を備えていてもよい。また、折り方や切り方の案内として折り目線やミシン目を例としたが、これらに限定されず、例えば色分けの境界によって折り目を示したり、スリットによって切り方を示したりしたものであってもよい。
【００４５】
また、前述の各実施形態またはその適用例に対して、当業者が適宜、構成要素の追加、削除、設計変更を行ったものや、各実施形態の特徴を適宜組み合わせたものも、本考案の要旨を備えている限り、本考案の範囲に包含される。
【産業上の利用可能性】
【００４６】
本考案は、ティーバッグＴＢの包装用紙のほか、食品の個別包装を行う包装用紙にも好適に利用可能である。
【符号の説明】
【００４７】
１…ティーバッグ用包装紙
１０…包装紙本体
１０Ａ…表面
１０Ｂ…裏面
１０１…長辺
１０２…短辺
１１０…第１案内部
１２０…第２案内部
Ｂ１１，Ｂ１２…折り目線
Ｂ２１，Ｂ２２…折り目線
Ｂ３１，Ｂ３２…折り目線
Ｂ４１，Ｂ４２…折り目線
ＣＰ…カップ
Ｄ，Ｄ２…受け皿
Ｌ，Ｌ２…蓋
Ｐ…摘まみ部
Ｓ１…ミシン目
Ｔ…タブ
ＴＢ…ティーバッグ
Ｗ…紐
【図１】
0003224087.tif 000003
【図２】
0003224087.tif 000004
【図３】
0003224087.tif 000005
【図４】
0003224087.tif 000006
【図５】
0003224087.tif 000007
【図６】
0003224087.tif 000008
【図７】
0003224087.tif 000009
【図８】
0003224087.tif 000010
【図９】
0003224087.tif 000011